(57)【特許請求の範囲】
【請求項１】
連結用の鉄筋を挿通する連結孔を有し、複数連結可能とされてなる方形状の第１のコンクリートブロック部と、
この第１のコンクリートブロック部の略中央部に一体に、表土からの雨水を浸透させる透水性コンクリートにより成形される第２のコンクリートブロック部とからなり、
上記第２のコンクリートブロック部には、表面の略中央部に、下端側に向かって厚みが増加する傾斜面によって水受け面が形成され、上記水受け面の両側に、上記水受け面に向かって傾斜した第１の水ガイド面が形成されるとともに、
上記水受け面の上端側の両側に、上記水受け面に向かって傾斜し、上記第１の水ガイド面に連続した第２の水ガイド面が形成され、
上記第１のコンクリートブロック部は、上記第１の水ガイド面の間の上記水受け面の下端側に、透水部が形成され、
上記第２のコンクリートブロック部は、上記第１及び第２の水ガイド面によって表面の雨水を上記水受け面に導き、透水した雨水を上記透水部より排出させることを特徴とする覆土ブロック。
【請求項２】
上記透水部は、上記第２のコンクリートブロック部に浸透した雨水が集まる第２のコンクリートブロック部の底面側位置から第１のコンクリートブロック部の底面側にわたって、第１のコンクリートブロック部に形成された透水孔であることを特徴とする請求項１記載の覆土ブロック。
【請求項３】
上記透水部は、上記第２のコンクリートブロック部の底面側位置から第１のコンクリートブロック部の底面側までを上記第２のコンクリートブロック部の一部を延在させて成形することを特徴とする請求項１に記載の覆土ブロック。
【請求項４】
上記水受け面は、その傾斜が敷設される法面において水平地面と略同一の傾斜とされることを特徴とする請求項１に記載の覆土ブロック。
【発明の詳細な説明】
【０００１】
【発明の属する技術分野】
本発明は、河川の護岸、堤防等として使用され、洪水時の流水減勢等の効果を奏する覆土ブロックに関するものである。
【０００２】
【従来の技術】
一般に、河川等においては、護岸、堤防等として、洪水時の流速減勢等のために、コンクリートブロックがそのまま川岸等の地表面に敷設されている。また、近年においては、急速な都市化により自然が失われつつあることを考慮して、コンクリートブロックの表面を覆土し、緑化することによって自然の景観を損なうことなく法面を保護する覆土ブロックが利用されている。この覆土ブロックは、複数のブロックを鉄筋等により連結し、一体化されて法面に敷設される。
【０００３】
覆土ブロックには、非透水性コンクリート製ブロックを使用すると、表土に雨水が浸透した場合に、この雨水をブロックより下に逃がさないため、覆土ブロック上に雨水が溜まる。覆土ブロック上の表土は、覆土ブロック上に溜まった雨水を含むことにより重量が増加する。この結果、表土は、増加した重量に耐えきれずに覆土ブロック上から崩落するおそれがある。
【０００４】
このため、覆土ブロックにおいては、表土に浸透した雨水を表土から逃がすために、透水性コンクリート製ブロックを利用することが提案されている。
【０００５】
【発明が解決しようとする課題】
しかし、この透水性コンクリート製ブロックを使用する場合には、以下のような問題点がある。
【０００６】
すなわち、透水性コンクリート製ブロックは、非透水性コンクリート製ブロックに比べ高価であるため、覆土ブロックの全体について透水性コンクリートを使用すると覆土ブロックの製造コストが高価となる。
【０００７】
また、覆土ブロックは、川岸等に敷設する場合に、複数のコンクリートブロック同士を鉄筋等により連結して敷設する。しかし、透水性コンクリート製ブロックでは、その連結のために形成する連結孔の形成が非透水性コンクリート製ブロックに比べて困難である。
【０００８】
さらに、透水性コンクリート製ブロックでは、複数の覆土ブロックを連結するために挿通された鉄筋が覆土ブロック内に浸透してくる雨水に接触するため、この鉄筋の腐食の進行が促進される。覆土ブロックは、このように連結用の鉄筋の腐食が促進されると、護岸、堤防等の効果を奏するのに充分な強度が確保されない。
【０００９】
さらにまた、覆土ブロックは、護岸、堤防等としての効果を奏するために一定以上の重量と強度が要求されるが、透水性コンクリートブロックは通常のコンクリートよりも空隙率が高いため、このような重量と強度を確保することが困難である。
【００１０】
本発明は、このような問題点を解決すべく提案されたものであり、覆土ブロック上の表土に浸透する雨水を覆土ブロック内に浸透させることにより、雨水を含んで重量が増加することによる覆土ブロックからの表土の崩落を防止する覆土ブロックを提供することを目的とする。
【００１１】
【課題を解決するための手段】
上述のような目的を達成するために提案される本発明に係る覆土ブロックは、連結用の鉄筋を挿通する連結孔を有し、複数連結可能とされてなる方形状の第１のコンクリートブロック部と、この第１のコンクリートブロック部の略中央部に一体に、表土からの雨水を浸透させる透水性コンクリートにより成形される第２のコンクリートブロック部とからなり、上記第２のコンクリートブロック部には、表面の略中央部に、下端側に向かって厚みが増加する傾斜面によって水受け面が形成され、上記水受け面の両側に、上記水受け面に向かって傾斜した第１の水ガイド面が形成されるとともに、上記水受け面の上端側の両側に、上記水受け面に向かって傾斜し、上記第１の水ガイド面に連続した第２の水ガイド面が形成され、上記第１のコンクリートブロック部は、上記第１の水ガイド面の間の上記水受け面の下端側に、透水部が形成され、上記第２のコンクリートブロック部は、上記第１及び第２の水ガイド面によって表面の雨水を上記水受け面に導き、透水した雨水を上記透水部より排出させるようにしたものである。
【００１２】
以上のように構成された本発明に係る覆土ブロックによれば、第２のコンクリートブロック部が透水性コンクリート製ブロックで形成されることにより、表土に浸透してきた雨水がブロック内部に浸透して、表土の重量が増加することによる覆土ブロックからの表土の崩落を防止する。また、本発明に係る覆土ブロックによれば、非透水性コンクリートで形成された第１のコンクリートブロック部と第２のコンクリートブロック部とが組み合わされることにより、透水性コンクリート製ブロックの使用量が少量で済み、覆土ブロックの製造コストの節減を達成するとともに、護岸、堤防等としての効果を奏するのに充分な重量と強度を確保する。さらに、本発明に係る覆土ブロックによれば、連結孔が第１のコンクリートブロック部に形成されるため、容易に連結孔を形成可能とするとともに連結用の鉄筋の腐食の進行を抑制する。
【００１３】
【発明の実施の形態】
以下、本発明に係る覆土ブロックの実施の形態を図面を参照しながら詳細に説明する。
【００１４】
覆土ブロック１は、図１に示すように、第１のコンクリートブロック部２と第２のコンクリートブロック部３とで構成される。
【００１５】
第１のコンクリートブロック部２は、ポルトランドセメントの如き一般のセメントを用いた通常の非透水性コンクリートを材料として成形される。また、第２のコンクリートブロック部３は、透水性コンクリートを材料として成形される。
【００１６】
この透水性コンクリートは、セメント系硬化促進剤が添加されたセメント中に所定量の石灰石、珪石などの粒状材の骨材を添加し、凝結剤が添加された水を含有して混練され、空隙率が１５％〜２０％で成形された造形体からなる。透水性コンクリートの素材配合としては、水がセメントに対して３０％未満、セメントに添加されるセメント系硬化促進剤がセメントに対して２重量％〜３重量％、凝結剤が水に対し１８重量％〜２０重量％含有されて混練されたものが好適である。なお、セメント系硬化促進剤としては、ＳｉＯ2、ＣａＯ、ＭｇＯ、Ｎａ2Ｏ等から構成され、セメントを早期に硬化させるものである。また、凝結剤は、特に限定されるものではないが、有機質材料としては、ポリスチレン系凝結剤、無機質材料としては、高分子メラミンスルフォン酸塩等が使用される。
【００１７】
第２のコンクリートブロック部３は、以上のような配合によって得られた透水性コンクリートにより成形され、セメント系硬化促進剤が添加されることにより、成形時に空隙率を減少させることなく適当な空隙を残して硬化する。したがって、第２のコンクリートブロック部３は、非透水性コンクリート製ブロックに比べて空隙率が高いため、表土から浸透してくる雨水が第２のコンクリートブロック部３の内部に浸透する。また、第２のコンクリートブロック部３は、凝結剤が添加して形成されることにより、適当な空隙率を持つとともに、圧縮強度も大きくなり、物理的、化学的作用に対する耐久性を備える。
覆土ブロック１は、非透水性コンクリートと上述したような配合の透水性コンクリートとを、型枠内で二種のコンクリートが混ざり合わないようにそれぞれ水分を極端に少なくして混成して、型枠に流し込み成形する。
【００１８】
また、覆土ブロック１は、上述したように、非透水性コンクリート製ブロックである第１のコンクリートブロック部２と透水性コンクリート製ブロックである第２のコンクリートブロック部３とが一体として成形されて構成されることにより、透水性コンクリート製ブロックのみで覆土ブロックを構成した場合に比べ、護岸、堤防等としての効果を奏するのに充分な重量と強度が確保される。
【００１９】
第１のコンクリートブロック部２は、図２及び図３に示すように、横長矩形に形成されるとともに、表面及び底面の周縁に面取り部４が形成される。覆土ブロック１は、この面取り部４が形成されることにより、縦横への屈撓性が確保されて、法面に覆土ブロック１が敷設される場合に、覆土ブロック１に加重がかかることによる覆土ブロック１の変形や破損を防止する構造とされる。
【００２０】
また、第１のコンクリートブロック部２には、図１に示すように、透水部５及び連結孔６が形成される。
【００２１】
透水部５は、第２のコンクリートブロック部３を浸透する雨水が集中する位置に形成され、雨水を第１のコンクリートブロック部３の底面側に導くものである。この透水部５は、図１に示す第１の実施例においては、第２のコンクリートブロック部３から第１のコンクリートブロック部２の底面側に貫通する透水孔５ａとして形成される。この透水孔５ａは、覆土ブロック１が法面に敷設された場合の第２のコンクリートブロック部３の下端側に位置するようにして形成することが好ましい。透水孔５ａは、このような位置に形成されることにより、第２のコンクリートブロック部３を浸透した雨水が透水孔５ａよりも上端側の第１のコンクリートブロック部２に到達した場合でも第１のコンクリートブロック部２の傾斜に沿って透水孔５ａに向かって流れるため、雨水を効果的に集中させて第１のコンクリートブロック部２の底面側に排出させる。
【００２２】
なお、透水部５は、図４に示す第２の実施例のように、第２のコンクリートブロック部３の一部を第１のコンクリートブロック部２の底面側まで延在させ、覆土ブロック１の底面側に臨ませる延在部５ｂとして形成してもよい。透水部５は、このように第２のコンクリートブロック部３を延在させて形成した場合にも、第２のコンクリートブロック部３に浸透した雨水を覆土ブロック１の底面側に排出する。
【００２３】
連結孔６は、図２に示すように、覆土ブロック１の長手方向の略１／４の位置及び略３／４の位置にそれぞれ形成される。連結孔６は、このように形成されることにより、複数の覆土ブロック１を連結可能とする。覆土ブロック１は、図５に示すように、異なる位置に形成された連結孔６同士を連結して連結用の鉄筋７を挿通することにより互い違いに連結される。覆土ブロック１は、互い違いに連結されることにより、法面に敷設された場合に、雨水が非透水性の第１のコンクリートブロック部２に達して第１のコンクリートブロック部２上を流れた場合であっても、必ず透水性の第２のコンクリートブロック部３に達するため漏れなく表土を浸透する雨水を第２のコンクリートブロック部３の内部に浸透させる。
【００２４】
また、連結孔６は、図１及び図２に示すように、第１のコンクリートブロック部２を貫通することにより形成され、第２のコンクリートブロック部３に接触しない。したがって、連結孔６は、透水性コンクリート製ブロックに形成する場合に比較して容易に形成される。また、連結孔６は、第２のコンクリートブロック部３の内部を浸透する雨水が連結孔６内に浸透することがないため、連結孔６に挿通される鉄筋７が雨水に接触することによる腐食の進行を抑制する。覆土ブロック１は、このように腐食が抑制される鉄筋７によって連結、保持されるため護岸、堤防等としての効果を奏するのに充分な強度が確保される。
【００２５】
第２のコンクリートブロック部３は、上述したように、第１のコンクリートブロック部２と一体として成形されて、覆土ブロック１を構成する。第２のコンクリートブロック部３は、図１及び図３に示すように、第１のコンクリートブロック部２の表面上に突起を形成するようにして成形される。覆土ブロック１は、第２のコンクリートブロック部３が突起状に形成されることにより、表土の滑動を抑制するとともに、表土が洪水時等に浸食された場合にも流速を減勢させる効果を奏する。
【００２６】
第２のコンクリートブロック部３は、図２に示すように、その表面に段差が設けられており、この段差の底部に水受け面８が形成されるとともに、段差の側面に第１の水ガイド面９ａが形成される。さらに、第２のコンクリートブロック部３表面の上部の面には、上記水受け面に雨水を導くための第２の水ガイド面９ｂが形成される。
【００２７】
水受け面８は、図１及び図３に示すように、覆土ブロック１敷設時の上端側が第１のコンクリートブロック部２の表面に合わせて設けられるとともに、下端側に向かうごとに厚みを増すことにより傾斜が設けられるようにして形成されている。水受け面８の傾斜は、図６に示すように、覆土ブロック１の敷設時に水受け面８が水平地面と略同一となるように形成される。水受け面８は、このような傾斜で形成されることにより、覆土ブロック１が法面に敷設された場合に、表土から浸透する雨水を水受け面８上でいったん止め、第２のコンクリートブロック部３の内部に雨水を効果的に浸透させる。また、水受け面８は、上述のような傾斜で形成されることで、その水平面で表土を保持し、覆土ブロック１からの表土の崩落を防止する。
【００２８】
次に、第１の水ガイド面９ａは、図２に示すように、第２のコンクリートブロック部３の表面に設けられた段差の側面に水受け面８を挟むように相対向して一対形成される。第１の水ガイド面９ａは、水受け面８に向かって傾斜して形成されるため、表土に浸透する雨水を水受け面８へ効果的に導き、集中させる。
【００２９】
また、第２の水ガイド面９ｂは、図２に示すように、突起状コンクリートブロック部３表面の上部の面に水受け面８を挟むように相対向して一対形成される。この第２の水ガイド面９ｂは、水受け面８に向かって傾斜して形成されているため、図５に示すように、覆土ブロック１が連結されて敷設された場合に、上方の覆土ブロック１の第１のコンクリートブロック部２上を流れてくる雨水を受けとめ、水受け面８に導き、集中させる。
【００３０】
なお、上記透水孔５ａは、図２に示すように、上述したように雨水が集中する水受け面８にも対応する位置に形成されており、水受け面８に集中して第２のコンクリートブロック部３の内部を浸透してくる雨水を第１のコンクリートブロック部２の底面側に排出させる。
【００３１】
また、覆土ブロック１は、上述したように、第２のコンクリートブロック部３を突起状に形成したが、第２のコンクリートブロック部３の表面を第１のコンクリートブロック部２の表面と略同一となるように形成してもよい。覆土ブロック１は、このように第２のコンクリート部３を形成しても、第２のコンクリートブロック部３の表面に凹部を形成してその底面を上述した構造の水受け面８とすることで雨水を効果的に第２のコンクリートブロック部３に浸透させるとともに、表土を保持して覆土ブロック１からの崩落を防止する。
【００３２】
以上のように構成された覆土ブロック１は、図７に示すように、連結孔６に鉄筋７を挿通して複数連結され、土木安定シート１０が敷かれた法面上に敷設される。この時、覆土ブロック１は、上述したように、第２のコンクリートブロック部３の水受け面８が敷設時に水平地面と略同一になされる。連結用の鉄筋７は、強度、価格、耐久性、施行性等を検討した結果、アルミニウムめっき綱線が適当であるが、これに制限しなくともよい。その後、覆土ブロック１は、図７に示すように、表土がかぶせられ、必要により芝等が張られる。
【００３３】
表土に浸透する雨水は、上述のように敷設された覆土ブロック１まで達すると、第１の水ガイド面９ａ及び第２の水ガイド面９ｂによって水受け面８に集められるとともに、第２のコンクリートブロック部３の内部に浸透し、透水部５を通って土木安定シート１０上に排出される。
【００３４】
なお、このような土木安定シート１０は、必要に応じて設置すればよく、浸透水を法面にそのまま浸透させる場合には設置しなくともよい。また、排出された雨水は、覆土ブロック１が敷設された法面に浸透することで、地下水位の確保に寄与する。
【００３５】
【発明の効果】
以上、詳細に説明したように、本発明に係る覆土ブロックによれば、覆土ブロックを第１のコンクリートブロック部と第２のコンクリートブロック部とで構成し、この第２のコンクリートブロック部を透水性コンクリートで成形することにより、表土に浸透する雨水を第２のコンクリートブロック部に浸透させて、表土の重量増加とそれに伴う表土の崩落が防止される。また、本発明に係る覆土ブロックによれば、第１のコンクリートブロック部に非透水性コンクリート製ブロックが使用されるため、透水性コンクリート製ブロックの使用量が少量で済み、覆土ブロックの製造コストが節減されるとともに、護岸、堤防等としての効果を奏するのに充分な重量と強度とが確保される。さらに、本発明に係る覆土ブロックによれば、連結用の鉄筋を挿通させる連結孔が非透水性コンクリート製ブロックである第１のコンクリートブロック部に形成されるため、連結孔の形成が透水性コンクリート製ブロックに形成する場合と比較して容易となるとともに、鉄筋が雨水に触れないため、覆土ブロックに挿通された連結用の鉄筋の腐食の進行が抑制される。
【図面の簡単な説明】
【図１】本発明に係る覆土ブロックの縦断面図である。
【図２】上記覆土ブロックの平面図である。
【図３】上記覆土ブロックの側面図である。
【図４】上記覆土ブロックの他の実施例の縦断面図である。
【図５】上記覆土ブロックの連結状態を示す平面図である。
【図６】上記覆土ブロックの連結状態を示す縦断面図である。
【図７】上記覆土ブロックで覆った法面の縦断面図である。
【符号の説明】
１  覆土ブロック，２  第１のコンクリートブロック部，３  第２のコンクリートブロック部，４  面取り部，５  透水部，５ａ  透水孔，５ｂ  延在部，６連結孔，７  鉄筋，８  水受け面，９ａ  第１の水ガイド面，９ｂ  第２の水ガイド面，１０  土木安定シート，
【図１】
0003758058.tif 000002
【図２】
0003758058.tif 000003
【図３】
0003758058.tif 000004
【図４】
0003758058.tif 000005
【図５】
0003758058.tif 000006
【図６】
0003758058.tif 000007
【図７】
0003758058.tif 000008